(57)【要約】【課題】プライバシーを確保しながら解放感のある癒しのある空間を形成することができる住宅建物を提供する。【解決手段】透明板２１によってトンネル状に形成された通路２が、屋外と第一寝室１２ｅ、第二寝室１２ｆ、主寝室１２ｇとの間に設けられてなり、前記通路２の外壁部２ａおよび間仕切り壁部２ｂは、二枚の透明板２１、２１の間に水２２を設けた壁体によって形成され、壁体を挟んだ対象物の視認性が常時変化するように水２２が流動して壁体が揺らいで見えるようになされるとともに、前記通路２の屋根部２ｃは、透明板２１の上に水２２を溜めて形成されてなる住宅建物１である。【選択図】  図１
2005016071.tif 000002
【特許請求の範囲】
【請求項１】
二枚の透明板の間に流体を設けた壁体が、屋外と居住空間との間の外壁の一部に設けられてなり、壁体を挟んだ対象物の視認性が常時変化するように流体が流動して壁体が揺らいで見えるようになされたことを特徴とする住宅建物。
【請求項２】
二枚の透明板の間に流体を設けた壁体が、居住空間内の間仕切り壁の一部に設けられてなり、壁体を挟んだ対象物の視認性が常時変化するように流体が流動して壁体が揺らいで見えるようになされたことを特徴とする住宅建物。
【請求項３】
二枚の透明板の間に流体を設けた壁体が、屋外と居住空間との間の屋根の一部に設けられてなり、壁体を挟んだ対象物の視認性が常時変化するように流体が流動して壁体が揺らいで見えるようになされたことを特徴とする住宅建物。
【請求項４】
透明板によってトンネル状に形成された通路が、屋外とプライベートゾーンとの間に設けられてなり、
前記通路の両側壁部分は、二枚の透明板の間に流体を設けた壁体によって形成され、壁体を挟んだ対象物の視認性が常時変化するように流体が流動して壁体が揺らいで見えるようになされるとともに、
前記通路の屋根部分は、透明板の上に流体を溜めて形成されてなることを特徴とする住宅建物。
【発明の詳細な説明】
【０００１】
【産業上の利用分野】
本発明は、住宅建物に関するものである。
【０００２】
【従来の技術】
従来より、住宅建物において、居室間の間仕切りに、ガラスやすりガラスなどの透明板や半透明板を用いて解放感のある空間を形成することが行われている。このようなことは、間仕切り壁に限らず、屋根に透明板からなるトップライトを設けたり、また、外壁に大開口の固定窓を設けたり、ガラスブロックを設けたりすることで、住宅建物内の各部において行われていた。
【０００３】
【発明が解決しようとする課題】
しかし、ガラスなどの透明板の間仕切りを用いた場合、充分な遮蔽効果が得られず、視認性が高くなってしまうため、プライバシーが確保できなくなってしまう。これは、すりガラスなどの半透明板を用いた場合でも同様で、半透明板を通した向こう側に見える対象物の情報が定量的で、かつ、対象物の視認性が直接的過ぎることとなる。
【０００４】
本発明は、係る実情に鑑みてなされたものであって、プライバシーを確保しながら解放感のある癒しのある空間を形成することができる住宅建物を提供することを目的としている。
【０００５】
【課題を解決するための手段】
上記課題を解決するための本発明の住宅建物は、二枚の透明板の間に流体を設けた壁体が、屋外と居住空間との間の外壁の一部に設けられてなり、壁体を挟んだ対象物の視認性が常時変化するように流体が流動して壁体が揺らいで見えるようになされたものである。また、上記壁体が、居住空間内の間仕切り壁の一部に用いられてなるものである。さらに、上記壁体が、屋外と居住空間との間の屋根の一部に用いられてなるものである。
【０００６】
また、上記課題を解決するための本発明の住宅建物は、透明板によってトンネル状に形成された通路が、屋外とプライベートゾーンとの間に設けられてなり、前記通路の両側壁部分は、二枚の透明板の間に流体を設けた壁体によって形成され、壁体を挟んだ対象物の視認性が常時変化するように流体が流動して壁体が揺らいで見えるようになされるとともに、前記通路の屋根部分は、透明板の上に流体を溜めて形成されてなるものである。
【０００７】
壁体は、二枚の透明板の間で流体が流動して壁体が揺らいで見えるので、壁体を挟んだ対象物の視認性が常時変化することとなる。したがって、壁体を挟んだ両者間では、視覚情報が不定量となり、適当な距離を保ってプライバシーを確保しながら、あたかも有機的に結合した空間であるかのように構成することができることとなる。
【０００８】
【発明の実施の形態】
以下、本発明の実施の形態を図面を参照して説明する。
【０００９】
図１は住宅建物１の全体構成の概略を示し、図２は同住宅建物１に用いられた通路２を示している。
【００１０】
すなわち、この住宅建物１は、二階１２に、透明板２１によってトンネル状に形成された通路２が用いられている。
【００１１】
図１において、一階１１には、玄関１１ａ、居間１１ｂ、キッチン１１ｃ、ホール１１ｄ、階段１１ｅ、食堂１１ｆ、客間１１ｇ、浴室１１ｈ、ガレージ１１ｉ、中庭１１ｊが設けられている。
【００１２】
また、二階１２には、ルーフテラス１２ａ、サロン１２ｂ、浴室１２ｃ、ホール１２ｄ、第一寝室１２ｅ、第二寝室１２ｆ、主寝室１２ｇ、クローゼット１２ｈ、書斎１２ｉが設けられている。ルーフテラス１２ａと主寝室１２ｇとの間の一階１１の中庭１１ｊの上方には、渡り廊下１２ｊが設けられている。
【００１３】
通路２は、ホール１２ｄと渡り廊下１２ｊとの間をつないで、第一寝室１２ｅ、第二寝室１２ｆ、主寝室１２ｇのそれぞれに面して設けられ、これら第一寝室１２ｅ、第二寝室１２ｆ、主寝室１２ｇのそれぞれに出入りできるようになされている。
【００１４】
この通路２は、屋外との間を仕切る外壁部２ａと、第一寝室１２ｅ、第二寝室１２ｆ、主寝室１２ｇのそれぞれとの間を仕切り間仕切り壁部２ｂと、屋外との間を仕切る屋根部２ｃとによってトンネル状に形成されている。
【００１５】
このうち、外壁部２ａと間仕切り壁部２ｂとは、二枚の透明板２１、２１の間の空隙２０に、水２２を設けて構成されている。この透明板２１、２１としては、アクリル、ポリカーボネートなどの樹脂製のものや強化ガラスなどを使用することができる。また、透明板２１の大きさとしては、特に限定されるものではなく、一枚物の大きな透明板２１であってもよいし、目地間の防水処理をして複数枚の透明板２１を接続して構成したものであってもよい。また、透明板２１の厚みとしては、特に限定されるものではなく、空隙２０に設けた水２２の水圧に耐え得ることができる厚みとなるように、空隙２０の大きさに応じて適宜決定される。
【００１６】
屋根部２ｃは、一枚の透明板２１の上に水２２を溜めて構成されている。
【００１７】
外壁部２ａ、間仕切り壁部２ｂおよび屋根部２ｃのそれぞれに設けられた水２２は、互いに連通するようになされており、屋根部２ｃに溜められた水２２は、ポンプ（図示省略）によって吸引され、前記外壁部２ａおよび間仕切り壁部２ｂの空隙２０の下端部から排出されるように構成されている。これによって水２２は、外壁部２ａ、間仕切り壁部２ｂおよび屋根部２ｃの間で循環するようになされている。また、水２２は、屋根部２ｃから吸引されて、外壁部２ａおよび間仕切り壁部２ｂの空隙２０の下端部から排出されるまでの間に濾過されて浄化されるよに構成されている。なお、この水２２を循環させるポンプ（図示省略）は、外壁部２ａおよび間仕切り壁部２ｂの空隙２０の下端部から水２２を排出する際、気泡を発生させ、この気泡とともに水２２を循環させるようになされたものが使用される。このように気泡とともに水２２が循環することで、外壁部２ａおよび間仕切り壁部２ｂは、流動する水２２と、この水２２とともに上昇する気泡との動きにより、壁体そのものが揺らいで見えることとなる。
【００１８】
なお、この水２２を循環させるポンプ（図示省略）などは、通路２の一端側に設けられた機械室２３に設けられる。
【００１９】
このようにして構成される住宅建物１によると、通路２を通過する際、屋根部２ｃの透明板２１上に溜められた水２２には、屋外の風雨による波紋が発生したり、降雪により白くなったり、落ち葉などが浮かんだりしてその季節の自然環境が屋内に居ながら身近に感じることができることとなる。
【００２０】
また、外壁部２ａでは、この外壁部２ａ自体の揺らぎによって外壁部２ａを挟んで見える対象物の視認性が常時変化し、視覚情報が不定量になることで、外壁部２ａを挟んだ両者間では、適当な距離を保ってプライバシーを確保しながら、あたかも有機的に結合した空間であるかのように構成することができる。つまり、通路２を人が通過する際、通路２からは、屋外の天候や様子を何となくぼんやりと把握することができることとなり、また、屋外からは、通路２に人の気配を感じることができるが、誰がどのようにして通過しているかといった明確なことまでは把握することができないこととなる。したがって、通路２は、屋外からのプライバシーを保ちながら、屋外の解放感を住居内に取り入れて癒しの空間を構成することができる。また、一階１１の居間１１ｂからは、中庭１１ｊ越しにこの通路２の外壁部２ａを視認することができるので、公園に設けられた噴水のように、住宅建物１において安らぎや癒しを与える構造物として機能させることができる。
【００２１】
さらに、間仕切り壁部２ｂでは、通路２と、第一寝室１２ｅ、第二寝室１２ｆ、主寝室１２ｇのそれぞれとの間の間仕切りが曖昧になるので、第一寝室１２ｅ、第二寝室１２ｆ、主寝室１２ｇのそれぞれの空間のプライバシーを確保しながら、これら各空間を、解放感のあるプライベートゾーンにすることができる。
つまり、通路２を通過する人は、第一寝室１２ｅ、第二寝室１２ｆ、主寝室１２ｇのそれぞれの空間に人が居るか否かは把握することができるが、それぞれの空間で具体的に何をしているかといった所までは把握することができず、プライバシーを侵されることにならない。また、第一寝室１２ｅ、第二寝室１２ｆ、主寝室１２ｇのそれぞれの空間に居る人は、外壁部２ａおよび天井部２ｃから間仕切り壁部２ｂを介して屋外の解放感が得られる。
【００２２】
なお、本実施の形態において、通路２は、外壁部２ａ、間仕切り壁部２ｂおよび屋根部２ｃのそれぞれに設けられた水２２が、互いに連通するようになされており、屋根部２ｃの水２２を吸引して外壁部２ａおよび間仕切り壁部２ｂに排出することで循環させるようになされているが、外壁部２ａ、間仕切り壁部２ｂおよび屋根部２ｃのそれぞれで独立して各部において循環するように構成されたものであってもよい。
【００２３】
また、本実施の形態では、外壁部２ａ、間仕切り壁部２ｂおよび屋根部２ｃの三方向が透明板２１によってトンネル状となされているが、外壁部２ａ、間仕切り壁部２ｂ、屋根部２ｃのうちの少なくとも一部分のみがこのような透明板２１と水２２とによって構成されたものであってもよい。
【００２４】
さらに、本実施の形態では、屋根部２ｃは、透明板２１の上に水２２を溜めるように構成されているが、外壁部２ａや間仕切り壁部２ｂと同じように、二枚の透明板２１、２１の間隙２０に水２２を循環させるようになされた構成としたものであってもよい。すなわち、本実施の形態の場合、水２２が直接屋外に面するため、汚れ易くなるが、二枚の透明板２１、２１の間隙２０に水２２を循環させるように構成すると、水２２を汚れ難くしてメンテナンス性を向上させることができる。
【００２５】
さらに、本実施の形態では、水２２の循環時に気泡を発生させて揺らぎを形成するようになされているが、外壁部２ａや間仕切り壁部２ｂにおいては、水２２を循環させずに、間隙２０の下端部から気泡を発生させるだけの構成としたものであってもよい。この場合、気泡は勝手に上昇するので、水２２を循環させなくても勝手に揺らぎを形成することとなる。ただし、水２２の循環が無いと、気泡の上昇が規則的になって十分な揺らぎが形成されないことが懸念される。したがって、気泡の発生具合を調整したり、水２２の粘度を調整したり、水２２以外の粘性を有する流体を用いることなどによって、できるだけ不規則に水２２を流動させて揺らぎ具合を調整してもよい。また、このような流体は、適宜に着色されたものであってもよいし、ｐＨコントロールによって透明にしたり着色したり自由にコントロールすることができるようになされたものであってもよい。
【００２６】
さらに、本実施の形態では、気泡によって揺らぎを形成しているが、間隙２０に、水２２とともに複数の流動片（図示省略）を入れておき、水２２の流動によってこれらの流動片（図示省略）が分散流動することで揺らぎを形成するものであってもよい。また、水２２と上下に分離する油などの液体を間隙２０に入れておき、ポンプ（図示省略）を用いた流動や、その他の装置を用いた攪拌などによって揺らぎを形成するものであってもよい。
【００２７】
【発明の効果】
以上述べたように、本発明によると、壁体を挟んだ両者間では、適当な距離を保ってプライバシーを確保しながら、あたかも有機的に結合した空間であるかのように構成することができるので、外壁や屋根の一部にこの壁体を用いることで、屋外の解放感を住居内に取り入れて癒しの空間を構成することができる。
【００２８】
また、このような壁体を間仕切り壁の一部に用いることで、パブリックゾーンとプライベートゾーンとの間仕切りを曖昧にしてプライバシーを確保しながら解放感のあるプライベートゾーンを構成することができる。
【００２９】
さらに、両側壁部分がこのような壁体によって構成されたトンネル状の通路を、屋外とプライベートゾーンとの間に設けることで、通路は屋外の解放感がある空間となり、プライベートゾーンは、この通路を介して屋外の解放感を取り入れることができることとなる。また、通路の屋根部分は、透明板の上に流体を溜めて形成されているので、降雪、降雨、強風などのその時の天候で流体に動きが生じ、外部空間を身近に感じることができることとなる。
【図面の簡単な説明】
【図１】（ａ）は本発明に係る住宅建物の一階の間取り図、（ｂ）は同住宅建物の二階間取り図である。
【図２】本発明に係る住宅建物に用いられた通路を示す概略斜視図である。
【符号の説明】
１  住宅建物
１２ｅ  第一寝室
１２ｆ  第二寝室
１２ｇ  主寝室
２  通路
２ａ  外壁部
２ｂ  間仕切り壁部
２ｃ  屋根部
２１  透明板
２２  水（流体）
【図１】
2005016071.tif 000003
【図２】
2005016071.tif 000004